(57)【要約】【課題】通常の長さと伸ばすと膝下まで達する丈にすることが可能で、伸ばしても温かな靴下を提供する。【解決手段】履き口部１と、履き口部に続いて編成された、ふくらはぎを覆うレッグ部２と、レッグ部に続いて編成された、爪先３１から足首３２までを覆い且つ踵部３３が形成されたフット部３とを有する靴下であって、レッグ部はフット部より長さ方向に伸び易く、レッグ部が表糸とＦＴＹ糸からなる裏糸で編成されると共に、表糸と裏糸が一緒に編目ループを形成する平編目Ｋと、表糸がフロートし且つ裏糸が編目ループを形成するスパイラル編目Ｓにより構成されており、レッグ部において履き口部側の上方部分２１とフット部側の下方部分２２では編組織が異なっており、所定コース数におけるスパイラル編目の数がレッグ部の下方部分よりも上方部分の方が多い。【選択図】図１
2020196975.tif 000002
【特許請求の範囲】
【請求項１】
履き口部と、該履き口部に続いて編成された、ふくらはぎを覆うレッグ部と、該レッグ部に続いて編成された、爪先から足首までを覆い且つ踵部が形成されたフット部とを有する靴下であって、
前記レッグ部は前記フット部より長さ方向（ウェール方向）に伸び易く、前記レッグ部が表糸とＦＴＹ糸からなる裏糸で編成されると共に、表糸と裏糸が一緒に編目ループを形成する平編目と、表糸がフロートし且つ裏糸が編目ループを形成するスパイラル編目により構成されており、
前記レッグ部において履き口部側の上方部分とフット部側の下方部分では編組織が異なっており、所定コース数における前記スパイラル編目の数が前記レッグ部の下方部分よりも上方部分の方が多く、前記レッグ部は下方部分よりも上方部分が伸び易く構成されてなる靴下。
【請求項２】
前記レッグ部の上方部分においては１列のウェールにおいてパイラル編目と平編目が交互に編成されると共に、隣接するウェールではスパイラル編目と平編目が１コース分ずれて交互に編成されて、スパイラル編目がカノコ状に配置され、前記レッグ部の下方部分においては全部の編目が平編目である平編目ウェールと、スパイラル編目と平編目が交互する混合編目ウェールとで編成されていることを特徴とする請求項１に記載の靴下。
【請求項３】
前記レッグ部の下方部分において平編目ウェールを挟んで隣り合う混合編目ウェールはスパイラル編目と平編目が１コース分ずれて編成されていることを特徴とする請求項２に記載の靴下。
【請求項４】
前記レッグ部の上方部分の長さはレッグ部の長さの１／２〜２／３であり、下方部分の長さはレッグ部の長さの１／２〜１／３であることを特徴とする請求項１乃至請求項３の何れか１項に記載の靴下。
【請求項５】
前記レッグ部における編目の大きさが、前記レッグ部の下方部分の下端から履き口部に向かって連続的にまたは段階的に大きくなっていることを特徴とする請求項１乃至請求項４の何れか１項に記載の靴下。
【請求項６】
前記フット部は編目の増減により形成されたゴアラインを有する踵部を具備していることを特徴とする請求項１乃至請求項５の何れか１項に記載の靴下。
【発明の詳細な説明】
【技術分野】
【０００１】
本発明は靴下に関するものであり、特にレッグ部の長さを調節することのできる靴下に関するものである。
【背景技術】
【０００２】
従来、靴下はレッグ部の長さが一定である。例えば、ビジネスソックスはふくらはぎの中程までを覆う丈である。通常はこの長さでよいが、寒さの厳しい場所では膝下まで覆うことができるロング丈のものであると、温かく過ごせる。しかし、この問題を解決するには２種類の丈の靴下を準備しなければならず、不経済であり、また、仮に２種類の丈の靴下を持っていても、外出先等では靴下を履き替えることができない。
【０００３】
また、ブーツ等の靴の長さ（ショート／ロング・ブーツ）やボトム（ズボン）の長さに対応して靴下の丈を調節できれば、複数種類の丈の靴下を容易しなくてもよいので、経済的に好ましい。
【０００４】
特許第５２１６４２０号公報（特許文献１）には、踵部（ヒール部）がなく且つ筒状に編成した靴下において、履き口部と爪先との間に平編目の編目ループの長さを小さくして緊締力を大としたストッパー用バンド部を設け、ストッパー用バンド部の両側の編地の平編目の編目ループの長さを長くして伸びやすくした靴下が開示されている。この靴下においては、着用時にストッパー用バンド部の位置を土踏まずの位置としてショートタイプの靴下とし、ストッパー用バンド部の位置を足首位置に位置させてロングタイプの靴下としている。
【先行技術文献】
【特許文献】
【０００５】
【特許文献１】特許第５２１６４２０号公報
【発明の概要】
【発明が解決しようとする課題】
【０００６】
前述した特許文献１に開示された靴下は、爪先から履き口まで筒状に編成されて、踵部が形成されていないため、靴下の着用時にずれや捩れが発生し易いという問題点がある。また、ストッパー用バンド部と履き口部の間の編目は大きな平編目ループで編成されており、伸ばした状態ではより一層編目が大きくなり、温かさの観点から言えば、編目が大きいため冷たい空気に触れ易く、温かさの点では問題があった。
【０００７】
なお、特許文献１の靴下では、ストッパー用バンド部の位置を土踏まずの位置とすると共に、ストッパー用バンド部の位置を足首位置に位置させることが必要なため、靴下に踵部（すなわち、靴下の着用者の踵を収容するためのふくらみ部）を設けることができない。
【０００８】
本発明は、通常の長さと、伸ばすと膝下まで達する丈にすることが可能であるとともに、伸ばしても温かな靴下を提供することを目的とする。
【課題を解決するための手段】
【０００９】
本発明は、履き口部と、該履き口部に続いて編成された、ふくらはぎを覆うレッグ部と、該レッグ部に続いて編成された、爪先から足首までを覆い且つ踵部が形成されたフット部とを有する靴下であって、前記レッグ部は前記フット部より長さ方向（ウェール方向）に伸び易く、前記レッグ部が表糸とＦＴＹ糸からなる裏糸で編成されると共に、表糸と裏糸が一緒に編目ループを形成する平編目と、表糸がフロートし且つ裏糸が編目ループを形成するスパイラル編目により構成されており、前記レッグ部において履き口部側の上方部分とフット部側の下方部分では編組織が異なっており、所定コース数における前記スパイラル編目の数が前記レッグ部の下方部分よりも上方部分の方が多く、前記レッグ部は下方部分よりも上方部分が伸び易く構成されてなる靴下により前記目的を達成する。
【発明の効果】
【００１０】
本発明によれば、通常の長さと伸ばすと膝下まで達する丈にすることが可能であるとともに、伸ばしても温かな靴下を提供することができる。
【図面の簡単な説明】
【００１１】
【図１】本発明の靴下の一実施例の平面図である。
【図２】本発明の靴下のレッグ部の上方部分の編地の一実施例を編目記号で表した組織図である。
【図３】本発明の靴下のレッグ部の下方部分の編地の一実施例を編目記号で表した組織図である。
【発明を実施するための形態】
【００１２】
以下、図面に示した実施例に基いて本発明を詳細に説明する。
図１に示すように、実施例に示す靴下は、履き口部１と、履き口部１に続いて編成された、ふくらはぎを覆うレッグ部２（図１では斜線を施して示した）と、レッグ部２に続いて編成された、爪先３１から足首３２までを覆い且つ踵部３３が形成されたフット部３とを有する靴下である。
【００１３】
踵部３３は一般的な靴下と同様に、靴下の編成時に編機におけるシリンダの往復動回転と共に編目の減少および増加を行なうことにより形成され、編目の減少および増加する際にゴアライン３４が形成される。
【００１４】
靴下のレッグ部２は、フット部３よりも長さ方向（すなわち、ウェール方向）に伸び易く編成されている。レッグ部２は履き口部１の緊締力により伸ばした状態と伸ばしていない状態とを維持することができる。なお、履き口部１は一般的なソックスと同様に、履き口部１のずり落ちが生じない程度の緊締力を有し、例えばダブルウェルト編により編成される。
靴下は、通常の伸ばさない状態ではビジネスソックスと同様の丈であり、伸ばした状態では靴下の上端が膝裏まで達するハイソックス丈となる。
【００１５】
図１の実施例では、レッグ部２は編成中にファッショニングにより編目の大きさを変えて、テーパー状にしたものを示している。例えば、履き口部１における幅Ｅ１が２６ｃｍで、レッグ部２の幅は上方の幅Ｅ２が２６ｃｍ、中間の幅Ｅ３がテーパー状に２６ｃｍから２２ｃｍまで変化し、下方の幅Ｅ４が２２ｃｍ、フット部３の幅Ｅ５が２２ｃｍとしている。このように、レッグ部２における編目の大きさを変化させて、レッグ部２の下方部分２２の下端から履き口部１に向かって連続的に、または段階的に編目の大きさが大きくなるようにしてもよい。
しかし、上述した幅の例は一例であり、当然ながら靴下の幅はこれに限定されるものではない。また、靴下のレッグ部２はファッショニングを行なわずに、同一の幅で編成してもよい。
【００１６】
この実施例に示す靴下の編糸は履き口部１およびフット部３は従来から使用されているものと同様なものを使用できる。例えば、フット部３の編糸を表糸とＦＴＹ糸からなる裏糸で平編目に編成した場合、表糸は特に限定されず、天然繊維からなる糸や合成繊維からなる糸を使用できる。例えば表糸として３２番手の綿糸を用いる。裏糸のＦＴＹ糸も太さ等については特に限定されない。例えば、裏糸として芯糸は３０デニールのポリウレタン芯糸でこれに７５デニールの被覆糸を巻き付けたＦＴＹ糸などを使用すればよい。
【００１７】
これに対して、本発明によれば、レッグ部２は表糸とＦＴＹ糸からなる裏糸で編成されると共に、表糸と裏糸が一緒に編目ループを形成する平編目と、表糸がフロートし且つ裏糸が編目ループを形成するスパイラル編目により構成される。表糸は特に限定はなく、綿等の天然繊維からなる編糸でも、ナイロンやアクリル等の合成繊維からなる編糸でもよい。例えば、フット部３の表糸と同様に、３２番手の綿糸を用いる。一方、レッグ部２の裏糸はフット部３の裏糸よりも太い方が好ましい。例えば、裏糸のＦＴＹ糸は４０デニールのポリウレタン芯糸に１５０デニールのナイロン、またはポリエステルの被覆糸を巻き付けたものとする。このように被覆糸を太くして、裏糸（ＦＴＹ糸）を太くすると、スパイラル編目の個所が透け難くなるので好ましい。
【００１８】
レッグ部２は履き口部１側の上方部分２１とフット部３側の下方部分２２では編組織が異なっている。所定コース数におけるスパイラル編目の数が下方部分２２よりも上方部分２１の方が多く、レッグ部２は下方部分２２よりも上方部分２１が伸び易く構成されている。
【００１９】
図２および図３にレッグ部２の編組織の一実施例を示している。図２はレッグ部２の上方部分２１の編組織の一例であり、図３はレッグ部２の下方部分２２の編組織の一例である。図２および図３において、記号Ｋは表糸と裏糸が一緒に編目ループを形成する平編目を表し、記号Ｓは表糸がフロートし且つ裏糸が編目ループを形成するスパイラル編目を表す。また、記号Ｃは横方向のコースを表し、記号Ｗは縦方向のウェールを表している。
【００２０】
図２に示した実施例の編地によれば、レッグ部２の上方部分２１においては１列のウェールにおいてパイラル編目と平編目が交互に編成されると共に、隣接するウェール（例えば、１Ｗと２Ｗ）ではスパイラル編目Ｓと平編目Ｋが１コース分ずれて交互に編成されて、スパイラル編目Ｓがカノコ状に配置されている。
【００２１】
図３に示した実施例の編地によれば、レッグ部２の下方部分２２においては、全部の編目が平編目である平編目ウェール１Ｗ，３Ｗ，５Ｗと、スパイラル編目Ｓと平編目Ｋが交互する混合編目ウェール２Ｗ、４Ｗ、６Ｗとで編成されている。また、レッグ部２の下方部分２２において平編目ウェール１Ｗ，３Ｗ，５Ｗを挟んで隣り合う混合編目ウェール例えば２Ｗと４Ｗまたは４Ｗと６Ｗはスパイラル編目Ｓと平編目Ｋが１コース分ずれて編成されている。
【００２２】
レッグ部２の上方部分２１は下方部分２２よりもスパイラル編目Ｓが多く配置されていることにより、伸び易くなっている。伸び易さの観点から、上方部分２１の長さが下方部分２２よりも長いことが好ましい。例えば、レッグ部２の上方部分２１の長さはレッグ部２の長さ（全長）の１／２〜２／３であり、下方部分２２の長さはレッグ部２の長さの１／２〜１／３であることが好ましい。
【００２３】
このように、上記の靴下は、レッグ部には踵部が形成されているので、特許文献１の靴下のように着用時にずれや捩れ生じることがない。
また、レッグ部が表糸とＦＴＹ糸からなる裏糸で編成されると共に、表糸と裏糸が一緒に編目ループを形成する平編目と、表糸がフロートし且つ裏糸が編目ループを形成するスパイラル編目により構成されているので、特別に編目ループの長さを長くしなくとも、スパイラル編目により伸びやすくなっている。さらに、スパイラル編目は表糸がフロートしているので、伸ばした状態においても大きな編目の穴（隙間）ができた状態にならない。従って、靴下を伸ばした状態でも温かさが保たれる。
【００２４】
通常、ズボンを着用した状態で椅子に腰掛けたりすると、立っている時よりもズボンの裾が上方に持ち上がり、靴下が外から見える状態となる。しかし、この靴下はこの点を考慮して、靴下を伸ばした状態で着用していても、通常と変わらない外観としている。すなわち、レッグ部において履き口部側の上方部分とフット部側の下方部分では編組織を異ならせて、所定コース数における前記スパイラル編目の数がレッグ部の下方部分よりも上方部分の方を多くしている。これにより、レッグ部は下方部分よりも上方部分が伸び易く構成され、靴下を伸ばした状態ではレッグ部は上方部分が伸びて、編目が大きくなるが、レッグ部は下方部分は伸びが小さく、編目が大きくならず、透けないので、ズボンの裾から靴下が見えても、見た目が通常の状態と余り変わらず、好ましい着用状態となっている。
【符号の説明】
【００２５】
１    履き口部
２    レッグ部
３    フット部
２１    レッグ部の上方部分
２２    レッグ部の下方部分
３１    爪先
３２    足首
３３    踵部
Ｋ    平編目
Ｓ    スパイラル編目
Ｃ    コース
Ｗ    ウェール
【図１】
2020196975.tif 000003
【図２】
2020196975.tif 000004
【図３】
2020196975.tif 000005